(57)【要約】【課題】  間違えた箇所に封止を施したり余分に封止を施すことを防止する遊技機における制御基板ケースの封止部構造を提供すること。【解決手段】  制御基板４０を収納するケース本体１の固着部８に、ケース本体に被着するカバー１５の封止片１９を対応させるように設け、封止片を締結部材により固着部に連結することにより封止を施す封止部を備えた制御基板ケースの封止部構造において、封止部ｅに設けられる複数の封止箇所を近接させて配置し、カバー１５には、切断容易に形成された連結部２０を介して複数の封止片を設けると共に最初に封止を施す箇所を除く箇所の各封止片の開口部１９ａを覆う干渉部２６ｄが夫々形成された封止規制部材２６を設け、封止を施した箇所の連結部２０及び封止規制部材の一部を切断することにより封止が解かれ、次回に封止可能な封止片の開口部のみを露出させる。【選択図】  図１
2006255258.tif 000002
【特許請求の範囲】
【請求項１】
遊技に関する制御を行なう制御基板が収納されるケース本体に設けられた固着部に、そのケース本体に被着されるカバーに設けられた封止片を対応させるように設け、その封止片を締結部材により該固着部に連結することにより封止を施すように構成した遊技機における制御基板ケースの封止部構造において、前記封止部に設けられる複数の封止箇所を近接させて配置し、前記カバーには、切断容易に形成された連結部を介して複数の封止片を設けると共に最初に封止を施す箇所を除く箇所の各封止片の開口部を覆う干渉部が夫々形成された封止規制部材を設け、封止を施した箇所の連結部及び該封止規制部材の一部を切断することにより封止が解かれ、かつ、次回に封止可能な封止片の開口部のみを露出させるように構成したことを特徴とする遊技機における制御基板ケースの封止部構造。
【請求項２】
前記封止規制部材の一部が、前記封止片の連結部に添うように配設されていることを特徴とする請求項１に記載の遊技機における制御基板ケースの封止部構造。
【発明の詳細な説明】
【技術分野】
【０００１】
本発明は、パチンコ機等の遊技機における制御基板ケースの封止部構造に関する。
【背景技術】
【０００２】
パチンコ機等の遊技機においては、遊技盤の背面側に制御基板ケースを設けている。その制御基板ケースには、遊技領域に設けられる入賞口や図柄変動表示装置等の作動を制御する電子回路やその構成部品が配設された制御基板が収納されている。従来の制御基板ケースの封止部については、前記制御基板が収納されるケース本体に設けられる固着部に、ケース本体に被着されるカバーに並設される複数の封止片を対応するように設け、何れかの封止片に通したビスを固着部に螺着し又は封止片に通したピンを固着部に押し込むことにより、当該ピンの先端が固着部の係止部に係合して封止を施す構造とされている。
【０００３】
その封止部の近傍には封止を施す順番が表示されており、作業者は原則として、その順番に従って封止を施すと共に封止箇所と作業日時をケースに設けられる表示部に記載しなければならなかった。ところが、封止部の近くに封止を施す順番を表示しているだけでは、作業者が封止箇所を誤ったり、同時に複数箇所の封止を施してしまうという危惧があった。
【０００４】
特開２００３−１１７１９３号公報に開示された「基板収納ボックス」は、ケース体と、そのケース体に被着されるカバー体と、そのカバー体の上面を覆う封止体とからなり、その封止体はその一端をケース体の一側端に回動可能とされ、その他端を同ケース体の他側端に固着するように設けられ、カバー体の上に封止体を回動させた状態で当該封止体をピンによってケース体に固着させる構造とされている。
【０００５】
その基板収納ボックスでは、封止作業をボックスの一側に対して行うだけでよいことを利点としている。しかし、封止箇所を間違えたり、一箇所だけでなく他の箇所の封止も余分に施してしまうなどの問題については、何ら考慮されていない。なお、ケースの片側のみにて封止を施すという点に関しては、従来の制御基板ケースにおいても既に実施されている。
【特許文献１】特開２００３−１１７１９３号公報
【発明の開示】
【発明が解決しようとする課題】
【０００６】
本発明の目的は、間違えた箇所に封止を施したり、余分に封止を施すことを防止する遊技機における制御基板ケースの封止部構造を提供することにある。
【課題を解決するための手段】
【０００７】
前記目的を達成するために請求項１に記載した発明は、遊技に関する制御を行なう制御基板が収納されるケース本体に設けられた固着部に、そのケース本体に被着されるカバーに設けられた封止片を対応させるように設け、その封止片を締結部材により該固着部に連結することにより封止を施すように構成した遊技機における制御基板ケースの封止部構造において、前記封止部に設けられる複数の封止箇所を近接させて配置し、前記カバーには、切断容易に形成された連結部を介して複数の封止片を設けると共に最初に封止を施す箇所を除く箇所の各封止片の開口部を覆う干渉部が夫々形成された封止規制部材を設け、封止を施した箇所の連結部及び該封止規制部材の一部を切断することにより封止が解かれ、かつ、次回に封止可能な封止片の開口部のみを露出させるように構成したことを特徴とする。
【０００８】
同様の目的を達成するために請求項２に記載した発明は、請求項１に記載の遊技機における制御基板ケースの封止部構造において、前記封止規制部材の一部が、前記封止片の連結部に添うように配設されていることを特徴とするものである。
【発明の効果】
【０００９】
（請求項１の発明）
この遊技機における制御基板ケースの封止部構造は、封止を施した箇所の連結部と封止規制部材の一部を切断することにより封止が解かれ、その開封により次回に封止可能な封止片の開口部のみを露出させるように構成しているので、間違った箇所に封止を施したり、余分に封止を施すことを確実に防止することができる。
【００１０】
（請求項２の発明）
この遊技機における制御基板ケースの封止部構造は、封止規制部材の一部を封止片の連結部に添うように配設しているので、封止済み箇所の連結部と封止規制部材の一部をニッパー等の工具によって一度で簡単に切断することができる。
【発明を実施するための最良の形態】
【００１１】
以下に、本発明の最良の形態例を図面に基づいて説明する。図１は制御基板ケースの斜視図、図２は制御基板ケースの分解斜視図、図３は制御基板ケースの平面図、図４は封止規制部材の斜視図、図５は封止箇所を示す説明図、図６は最初の封止箇所を開封した状態を示す説明図である。
【００１２】
本発明にかかる遊技機における制御基板ケースＣは、図１、図２に示すように、パチンコゲーム等の遊技に関する制御を行なう制御基板４０が収納されるケース本体１と、そのケース本体１に被着されるカバー１５とからなり、正面から見て右側に固着部８と封止片１９とから構成される封止部ｅを備えている。
【００１３】
ケース本体１は、図２に示すように、横長矩形状の中央平坦部１ａの周囲に一定高さのリブ１ｂを形成すると共に該リブ１ｂの周りに中枠２を形成し、さらに正面から見て中枠２の左方を除く周りに外枠３を一体に設けている。その中枠２はリブ１ｂよりも少し高く設けられ、外枠３との間に生ずる上下位置の隙間４に４個の係止突部５を長手方向に所定間隔で夫々配設している。また、中枠２の左外側面２ａには、３個の突片６を所定間隔にて一体に形成している。
【００１４】
８はケース本体１の右側中央部に突出するように設けられた封止部ｅの一方の構成要素たる固着部である。その固着部８には、外枠３に連続して形成された矩形枠９の内方に４個のボス１０が上下方向に所定間隔で近接して配置されている。それらボス１０の穴１０ａの奥部には、外方から挿入される締結部材としての公知の封止用ピン（図示せず）の先端に係合して当該ピンを抜脱不能とする係止部（図示せず）が設けられている。
【００１５】
カバー１５は、中央部分を深く形成された前面部１５ａの周囲から後方に延びる縁枠１５ｂが一体に形成されていて、その縁枠１５ｂを上記ケース本体１の外枠３の内方に挿入可能に設けられている。その前面部１５ａの上部と下部には、制御基板４０に設置される複数のコネクター４１に対応させた複数の透孔１６を設けている。また、縁枠１５ｂの上部と下部には、上記ケース本体１の係止突部５に対応させた４個の鉤形溝１７を夫々設けている。
【００１６】
１９はカバー１５の右側中央部に突出するように設けられた封止部ｅの他の構成要素たる円筒形状の封止片である。それら封止片１９は、前面部１５ａに連続して形成される矩形枠１５ｂの内方に上下方向に所定間隔で近接して４箇所に配置されていて、上記ケース本体１のボス１０に夫々対応するように設けられている。また、それら封止片１９は、図５に示すように、切断容易に細く形成された夫々の連結部２０を介して前面部１５ａに一体に設けられている。
【００１７】
上記封止片１９が設けられた箇所の前面内方に窪み２１を形成し、その窪み２１の底部に相当する座面２１ａを上記連結部２０の上面２０ａと同一面に設ける。２２は座面２１ａに形成された小径寸法の透孔である。
【００１８】
カバー１５の左側面には、カバーの内方側を開放した嵌合穴（図示せず）が長手方向に形成された３個の突起部２４を所定間隔に設ける。それら突起部２４の嵌合穴については、前記ケース本体１の各突片６に夫々遊嵌可能に配置されている。
【００１９】
２６はカバー１５の座面２１ａにリベット３０又はビス等により固定される合成樹脂製の封止規制部材である。この封止規制部材２６は、図４に示すように、リベット３０を通す透孔２７が形成された基部２６ａから直交方向へ延びる３つの櫛部２６ｂと、１／４の円弧部２６ｃと、干渉部２６ｄとが連続して一体に設けられている。図５に示すように、この封止規制部材２６は、各櫛部２６ｂを封止片１９の連結部２０の上面２０ａに夫々添うように配設されると共に最初に封止を施す箇所を除く箇所の各封止片１９の開口部１９ａを干渉部２６ｄによって覆うことができるように設けられている。
以上により本発明の遊技機における制御基板ケースの封止部ｅが構成される。
【００２０】
つぎに、この遊技機における制御基板ケースの封止部ｅの作用について述べる。
まず、ケース本体１に制御基板４０をセットした状態でカバー１５をケース本体１に装着する。ついで、封止規制部材２６の干渉部２６ｄによって開口部１９ａが覆われていない封止片１９に封止用ピンを通してから、そのピンをボス１０の穴１０ａに強く押し込む。これにより、その封止用ピンは固着部８から抜脱不能になり、最初の封止が施される。
【００２１】
２回目以降の封止については、最初に封止を施した箇所における封止規制部材２６の櫛部２６ｂと封止片１９の連結部２０をニッパー等により同時に切断することにより封止を解く。これにより、次回に封止可能な封止片１９の開口部１９ａが露出するので（図６）、その開口部１９ａが露出した封止箇所の封止を施すことになる。
【００２２】
以上に述べた通り、この遊技機における制御基板ケースの封止部構造は、封止を施した箇所の連結部と封止規制部材の一部を切断することにより封止が解かれ、その開封により次回に封止可能な封止片の開口部のみを露出させるように構成しているので、間違った箇所に封止を施したり、余分に封止を施すことを確実に防止することができる優れた効果を有する。
【図面の簡単な説明】
【００２３】
【図１】制御基板ケースの斜視図
【図２】制御基板ケースの分解斜視図
【図３】制御基板ケースの平面図
【図４】封止規制部材の斜視図
【図５】封止箇所を示す説明図
【図６】最初の封止箇所を切断した状態を示す説明図
【符号の説明】
【００２４】
Ｃ・・・制御基板ケース
ｅ・・・封止部
１・・・ケース本体
８・・・固着部
１０・・・ボス
１５・・・カバー
１９・・・封止片  １９ａ・・・開口部
２０・・・連結部
２６・・・封止規制部材
２６ｂ・・・櫛部（封止規制部材の一部）
２６ｄ・・・干渉部
４０・・・制御基板
【図１】
2006255258.tif 000003
【図２】
2006255258.tif 000004
【図３】
2006255258.tif 000005
【図４】
2006255258.tif 000006
【図５】
2006255258.tif 000007
【図６】
2006255258.tif 000008